(57)【要約】【課題】使用する化粧品の種類や色等に応じて、化粧用具の化粧用チップを使い分けるようにした場合でも、コンパクトに収納できて化粧用具が嵩張ることがなく、便利に携帯又は保管等できると共に、安価に製造することができるようにする。【解決手段】筒状の把持体２と、把持体２の外方に設けられた化粧用チップ４とを有する化粧用ユニットＡが、複数組設けられ、１の化粧用ユニットＡの化粧用チップ４が、隣り合う他の化粧用ユニット４の把持体２内に収納されるように、複数の化粧用ユニットＡが順次連結自在とされている。【選択図】　　　図２
2004057694.tif 000002
【特許請求の範囲】
【請求項１】
筒状の把持体（２）と、把持体（２）の外方に設けられた化粧用チップ（４）とを有する化粧用ユニット（Ａ）が、複数組設けられ、
一の化粧用ユニット（Ａ）の化粧用チップ（４）が、隣り合う他の化粧用ユニット（４）の把持体（２）内に収納されるように、複数の化粧用ユニット（Ａ）が順次連結自在とされていることを特徴とする化粧用具。
【請求項２】
前記化粧用ユニット（Ａ）の把持体（２）が、該把持体（２）内に収納した化粧用チップ（４）を外部から視認できるように、透過性を有していることを特徴とする請求項１に記載の化粧用具。
【請求項３】
前記化粧用ユニット（Ａ）の把持体（２）に取付基板（３）が外方突設され、この取付基板（３）に化粧用チップ（４）が外嵌装着されていることを特徴とする請求項１に記載の化粧用具。
【請求項４】
前記化粧用ユニット（Ａ）の把持体（２）の一端側に、取付基板（３）を外方突設した基板取付部（２１）が設けられ、把持体（２）の他端側に外嵌筒部（２４）が設けられ、
把持体（２）の基板取付部（２１）が、隣り合う他の化粧用ユニット（Ａ）の把持体（２）の外嵌筒部（２４）に着脱自在に内嵌されて、前記複数の化粧用ユニット（Ａ）の連結がなされていることを特徴とする請求項１に記載の化粧用具。
【請求項５】
一対の取付基板（３）が互いに逆方向に外方突設され、これら取付基板（３）に化粧用チップ（４）がそれぞれ外嵌装着された第２の化粧用ユニット（Ｂ）が具備され、
前記化粧用ユニット（Ａ）の把持体（２）内に、第２の化粧用ユニット（Ｂ）の一方の化粧用チップ（４）が収納されるように、第２の化粧用ユニット（Ｂ）の一端側が、化粧用ユニット（Ａ）に連結自在とされ、他の化粧用ユニット（Ａ）の把持体（２）内に第２の化粧用ユニット（Ｂ）の他方の化粧用チップ（４）が収納されるように、第２の化粧用ユニット（Ｂ）の他端側が、他の化粧用ユニット（Ａ）に連結自在とされていることを特徴とする請求項１に記載の化粧用具。
【請求項６】
前記第２の化粧用ユニット（Ｂ）は一対の支持体（２７）を有し、各支持体（２７）の外端に、前記一対の取付基板（３）が互いに逆方向に外方突設され、支持体（２７）が、化粧用ユニット（Ａ）の把持体（２）に着脱自在に内嵌されて、前記第２の化粧用ユニット（Ｂ）の化粧用ユニット（Ａ）への連結がなされることを特徴とする請求項５に記載の化粧用具。
【発明の詳細な説明】
【０００１】
【発明の属する技術分野】
本発明は、パウダー状のラメやアイシャドー等を塗布するために用いられる化粧用具に関する。
【０００２】
【従来の技術】
パウダー状のラメやアイシャドー等を塗布するために用いられる化粧用具には、図１０に示すように、把持体８１の一端部に取付基板８２が設けられ、取付基板８２に、化粧用チップ８３を外嵌固着するようにしたものがある。
【０００３】
【発明が解決しようとする課題】
しかし、この種の従来の化粧用具では、使用する化粧品の種類や色等に応じて、化粧用具の化粧用チップを使い分けるようにした場合、化粧品の種類等に対応する複数の化粧用具を使用する必要があり、これらを携帯又は保管等する場合、複数の化粧用具が嵩張るため、携帯や保管等に非常に不便であった。また、従来の化粧用具は、化粧用チップ８３を覆うキャップ等がないため、携帯や保管等する場合に、化粧用チップ４に付着した化粧品で周囲を汚すおそれがあった。また、各化粧用具に化粧用チップを覆うキャップを設ければ、複数の化粧用具の個数だけキャップが必要になり、製造費用も高騰するし、携帯や保管等の際に増加したキャップの個数分だけさらに大きく嵩張ることとなった。
【０００４】
本発明は上記問題点に鑑み、使用する化粧品の種類や色等に応じて、化粧用具の化粧用チップを使い分けるようにした場合でも、コンパクトに収納できて、携帯又は保管等に便利であると共に、安価に製造することができるようにしたものである。
【０００５】
【課題を解決するための手段】
この技術的課題を解決するための本発明の技術的手段は、筒状の把持体２と、把持体２の外方に設けられた化粧用チップ４とを有する化粧用ユニットＡが、複数組設けられ、
一の化粧用ユニットＡの化粧用チップ４が、隣り合う他の化粧用ユニット４の把持体２内に収納されるように、複数の化粧用ユニットＡが順次連結自在とされている点にある。
【０００６】
また、本発明の他の技術的手段は、前記化粧用ユニットＡの把持体２が、該把持体２内に収納した化粧チップ４を外部から視認できるように、透過性を有している点にある。
また、本発明の他の技術的手段は、前記化粧用ユニットＡの把持体２に取付基板３が外方突設され、この取付基板３に化粧用チップ４が外嵌装着されている点にある。
また、本発明の他の技術的手段は、一対の取付基板３が互いに逆方向に外方突設され、これら取付基板３に化粧用チップ４がそれぞれ外嵌装着された第２の化粧用ユニットＢが具備され、
前記化粧用ユニットＡの把持体２内に、第２の化粧用ユニットＢの一方の化粧用チップ４が収納されるように、第２の化粧用ユニットＢの一端側が、化粧用ユニットＡに連結自在とされ、他の化粧用ユニットＡの把持体２内に第２の化粧用ユニットＢの他方の化粧用チップ４が収納されるように、第２の化粧用ユニットＢの他端側が、他の化粧用ユニットＡに連結自在とされている点にある。
【０００７】
また、本発明の他の技術的手段は、前記第２の化粧用ユニットＢは一対の支持体２７を有し、各支持体２７の外端に、前記一対の取付基板３が互いに逆方向に外方突設され、支持体２７が、化粧用ユニットＡの把持体２に着脱自在に内嵌されて、前記第２の化粧用ユニットＢの化粧用ユニットＡへの連結がなされる点にある。
【０００８】
【発明の実施の形態】
以下、本発明を図示の実施の形態に従って説明する。
図１〜図８において、化粧用具１は、パウダー状のラメやアイシャドー等を塗布するために用いられるもので、化粧用ユニットＡが複数組（図例では３組）設けられると共に、他の化粧用ユニットＢが１組設けられている。その他に、長手方向両端部に一対のキャップ体Ｃが設けられている。
化粧用ユニットＡは、筒状の把持体２と、把持体２の一端に外方突設した取付基板３と、取付基板３に外嵌装着した化粧用チップ４とを有している。取付基板３は弾力性を有するナイロン等により板状に形成されている。なお、把持体２は、例えば長手方向の長さが３０ｍｍ程度に設定され、楕円の長軸の長さが１３ｍｍ程度に設定されている。
【０００９】
化粧用ユニットＡの把持体２は、ＡＢＣ樹脂又はポリプロピレン（ＰＰ）等により楕円の筒状に形成され、把持体２は透明、半透明又は着色透明であって透過性を有しており、把持体２内に収納した化粧チップ４の色等を外部から視認できるようになっている。なお、把持体２は、例えば長手方向の長さが３０ｍｍ程度に設定され、楕円の長軸の長さが１３ｍｍ程度に設定されている。
化粧用ユニットＡの把持体２の一端側に、把持体２よりもやや細くなった基板取付部２１が設けられ、基板取付部２１に嵌合孔２２が設けられ、嵌合孔２２に取付基板３が外方突出状に嵌合固着され、これにより基板取付部２１に取付基板３が外方突設されている。基板取付部２１の外周面に、周方向の係合凸部２３が周方向に一対設けられている。把持体２の他端側は開口されていて外嵌筒部２４とされ、外嵌筒部２４の内周面に、前記係合凸部２３に対応する周方向の係止凹部２５が周方向に一対設けられている。
【００１０】
而して、把持体２の外嵌筒部２４に、他の化粧用ユニットＡの把持体２の基板取付部２１が着脱自在に内嵌保持されるようになっており、このとき、基板取付部２１と外嵌筒部２４とが不測に外れないように、基板取付部２１の係合凸部２３と外嵌筒部２４の係止凹部２５とが互いに係合し、これにより、化粧用ユニットＡの化粧用チップ４が、隣り合う他の化粧用ユニットＡの把持体２内に収納されると共に、複数の化粧用ユニットＡが順次着脱自在に連結されるように構成されている。
【００１１】
化粧用ユニットＡの化粧用チップ４は、ウレタン等により構成され、取付基板３に対応して扁平な楕円状に形成されている。また、化粧用チップ４は、取付基板３に外嵌されて、接着剤により接着固定されている。
第２の化粧用ユニットＢは、鍔体２６と該鍔体２６を挟む一対の支持体２７とを一体に有し、各支持体２７に周方向の係止凸部２３が周方向に一対ずつ突設されている。各支持体２７に一対の取付基板３が互いに逆方向に外方突設され、これら取付基板３に化粧用チップ４がそれぞれ外嵌装着されている。鍔体２６及び一対の支持体２７はＡＢＣ樹脂又はポリプロピレン（ＰＰ）等により構成され、一対の取付基板３は弾力性を有するナイロン等により構成されている。支持体２７が、化粧用ユニットＡの把持体２に着脱自在に内嵌されて、前記第２の化粧用ユニットＢの一端側が化粧用ユニットＡに着脱自在に連結され、これにより、他の化粧用ユニットＡの把持体２内に第２の化粧用ユニットＢの他方の化粧用チップ４が収納されている。
【００１２】
第２の化粧用ユニットＢの化粧用チップ４は、化粧用ユニットＡの化粧用チップ４と同様の構成であって、ウレタン等により構成され、化粧用チップ４は、取付基板３に外嵌されて、接着剤により接着固定されている。
前記キャップ体Ｃは、化粧用ユニットＡの把持体２と同一の構成であり、透明、半透明又は着色透明であって透過性を有し、キャップ体Ｃの一端側に、把持体２よりもやや細くなった基板取付部２１が設けられ、基板取付部２１に嵌合孔２２が設けられ、キャップ体Ｃの他端側は開口されていて外嵌筒部２４とされ、把持体２の外嵌筒部２４に、他の化粧用ユニットＡの把持体２の基板取付部２１が着脱自在に内嵌保持され、これにより、キャップ体Ｃに、化粧用ユニットＡの化粧用チップ４が収納されると共に、化粧用ユニットＡが着脱自在に連結されている。
【００１３】
上記実施の形態によれば、ある化粧用ユニットＡの化粧用チップ４を使用する場合、当該化粧用ユニットＡに連結された両隣の化粧用ユニットＡ、第２の化粧用ユニットＢ又はキャップ体Ｃを取り外して、化粧用ユニットＡを他の化粧用ユニットＡ、第２の化粧用ユニットＢ及びキャップ体Ｃから分離し、又は、使用する化粧用ユニットＡの化粧用チップ４を外嵌している他の化粧用ユニットＡの把持体２又はキャップ体Ｃを、当該化粧用ユニットＡから取り外し、この化粧用ユニットＡの化粧用チップ４に、パウダー状のラメやアイシャドー等の化粧品を付着させ、この付着させた化粧品を顔等に塗布すればよい。
【００１４】
また、第２の化粧用ユニットＢの化粧用チップ４を使用する場合、使用する化粧用チップ４を外嵌している隣の化粧用ユニットＡの把持体２を、第２の化粧用ユニットＢから取り外して、化粧用チップ４を外部に露出し、この化粧用チップ４にパウダー状のラメやアイシャドー等の化粧品を付着させ、この付着させた化粧品を顔等に塗布すればよい。
従って、複数の化粧用ユニットＡ及び第２の化粧用ユニットＢの複数（図例では５個）の化粧用チップ４を、使用する化粧品の種類や色等に対応して使い分けることができる。しかも、把持体２内に内嵌保持された、化粧用チップ４を外部から視認することができて、化粧用チップ４をどの化粧品に使用しているのかを簡単に認識することができて、便利に使用することができる。
【００１５】
そして、化粧用具１を携帯又は保管等する場合には、複数の化粧用ユニットＡ、第２の化粧用ユニットＢ及びキャップ体Ｃを図４に示すように順次連結状態にして、化粧用具１をコンパクトで便利に携帯乃至保管することができ、非常に便利である。しかも、このとき、各化粧用チップ４を隣り合う化粧用ユニットＡの把持体２又はキャップ体Ｃによって外嵌して、把持体２又はキャップＣで化粧用チップ４を保護することができるし、化粧用チップ４に付着した化粧品で周囲を汚さないようにすることができる。
【００１６】
なお、化粧用ユニットＡや化粧用ユニットＢの組み合わせは自由であり、前記実施の形態では、化粧用具１は、複数の化粧用ユニットＡと第２の化粧用ユニットＢとを具備しているが、これに代え、図９に示すように、化粧用具１を、第２の化粧用ユニットＢを省略して、複数の化粧用ユニットＡのみで構成してもよい。この場合、一端の化粧用ユニットＡの把持体２に化粧用チップ４が収納されなくなり、また、化粧用具１の他端部に、該他端側の化粧用ユニットＡの化粧用チップ４を外嵌するキャップ体Ｃが必要になる。
【００１７】
【発明の効果】
本発明によれば、使用する化粧品の種類や色等に応じて、化粧用具の化粧用チップを使い分けるようにした場合でも、コンパクトに収納できて化粧用具が嵩張ることがなく、便利に携帯又は保管等できる。また、把持体２内に内嵌保持された、化粧用チップ４を外部から視認することができて、化粧用チップ４をどの化粧品に使用しているのかを簡単に認識することができて、便利に使用することができる。把持体２を化粧用チップ４を保護するキャップに兼用できて、構成部材がすくなくなり、安価に製造することができる。
【図面の簡単な説明】
【図１】本発明の一実施の形態を示す化粧用具の正面図である。
【図２】同化粧用ユニット部分の正面断面図である。
【図３】同化粧用ユニット部分の側面断面図である。
【図４】同第２の化粧用ユニット部分の正面断面図である。
【図５】同第２の化粧用ユニット部分の側面断面図である。
【図６】同把持体の正面図である。
【図７】同図２のＣ−Ｃ線断面図である。
【図８】同図２のＤ−Ｄ線断面図である。
【図９】他の実施形態を示す正面図である。
【図１０】従来例を示す正面断面図である。
【符号の説明】
１　　化粧用具
２　　把持体
３　　化粧用チップ
Ａ　　化粧用ユニット
Ｂ　　第２の化粧用ユニット
【図１】
2004057694.tif 000003
【図２】
2004057694.tif 000004
【図３】
2004057694.tif 000005
【図４】
2004057694.tif 000006
【図５】
2004057694.tif 000007
【図６】
2004057694.tif 000008
【図７】
2004057694.tif 000009
【図８】
2004057694.tif 000010
【図９】
2004057694.tif 000011
【図１０】
2004057694.tif 000012